(57)【要約】      （修正有）【課題】複数の紙葉束を積層して搬送する際、最下面の紙葉類のめくれ防止機構を備えた紙葉束結束装置を提供すること。【解決手段】１００枚束が５個積層された５００枚紙葉類を搬送して結束して５００枚束を形成する紙葉束結束装置において、５００枚紙葉類を搬送する搬送上流側及び下流側に分離配置した２個の搬送ベース２０ａ、２０ｂと、この２個の搬送ベースの間に設けた帯排出溝４０と、搬送上流側搬送ベースの終端に配置した板バネ３０と、帯排出溝を開閉する溝塞ぎ板１０と、５００枚紙葉類を押し出すプッシャとを備え、５００枚紙葉類が帯排出溝上を通過する際、当該５００枚紙葉類の先端を上記板バネで持上げ、かつ、溝塞ぎ板で帯排出溝を塞いで通過させ、当該５００枚紙葉類の先端が搬送方向に移動するのに従って溝塞ぎ板を固定する支持材が搬送方向に押し出されて帯排出溝を開き、結束帯により結束する。【選択図】図１
2011173635.tif 000002
【特許請求の範囲】
【請求項１】
所定枚数の紙葉類を第１の結束帯で結束して形成した第１の紙葉束を所定個数積層して搬送し第２の結束帯でさらに結束して第２の紙葉束を形成する紙葉束結束装置であって、
前記所定個数の第１の紙葉束を搬送するために搬送上流側及び下流側に分離して配置した２個の搬送ベースと、
この２個の搬送ベースの間に設けた前記第２の結束帯を通すための帯排出溝と、
前記搬送上流側搬送ベースに配置した所定の角度を有する弾性体と、
前記帯排出溝を開閉する溝塞ぎ板と、
この溝塞ぎ板を固定する支持材と、
前記所定個数の第１の紙葉束を前記搬送上流側の搬送ベースから搬送下流側の搬送ベースに押し出すプッシャと、
このプッシャによって押し出された前記所定個数の第１の紙葉束を停止するシャッタと、
このシャッタで停止した前記所定個数の第１の紙葉束を前記第２の結束帯で結束する帯巻機と、
前記所定個数の第１の紙葉束が前記シャッタによって停止される位置に到達したことを検知する検知手段と、
この検知手段により前記所定個数の第１の紙葉束が検知されたとき前記帯巻機が当該所定個数の第１の紙葉束を結束するように帯巻機を制御する制御手段と、
を備え、
前記弾性体は、
前記所定個数の第１の紙葉束が前記プッシャによって押し出される際、その先端を持上げ、当該複数個の第１の紙葉束の通過に伴いその荷重で押し下げられ、当該弾性体の先端が前記支持材の載置面と同一面を形成するように配置され、
前記支持材は、
前記シャッタに組み込まれ、前記プッシャによって押し出される前記所定個数の第１の紙葉束の先端側端面と当接する当接面を有し、前記シャッタに設けられたバネ材によって前記所定個数の第１の紙葉束の搬送方向と反対方向に突出するように付勢されて前記シャッタに設けられた開口部から突出した位置に設けられ、
前記所定個数の第１の紙葉束が前記プッシャによって搬送方向に押し出されると、それに伴なって前記溝塞ぎ板と共に後退することにより、前記帯排出溝上の前記第１の紙葉束を前記搬送上流側の搬送ベースから搬送下流側の搬送ベースに搬送することを特徴とする紙葉束結束装置。
【請求項２】
前記シャッタは、
搬送方向と交差する方向に進退移動可能に構成され、前記所定個数の第１の紙葉束を停止して前記帯巻機で結束する際には前進し、当該帯巻機による結束終了後は退出して当該所定個数の第１の紙葉束を搬送方向にさらに押し出すことができることを特徴とする請求項１記載の紙葉束結束装置。
【請求項３】
前記プッシャは、
前記所定個数の第１の紙葉束の後端側端面と当接して押圧する押圧部と底面と当接する底部を備えたＬ文字状の板状体で構成され、前記所定個数の第１の紙葉束を搬送方向に押し出すことにより搬送することを特徴とする請求項１記載の紙葉束結束装置。
【請求項４】
前記弾性体は、
弾力材であるＳＵＳ３０４ＣＰＳ−Ｈで構成し、かつ、上流側搬送ベースの終端に向って１５°の角度を有して配置されたことを特徴とする請求項１記載の紙葉束結束装置。
【発明の詳細な説明】
【技術分野】
【０００１】
本発明は、有価証券などの紙葉束を結束する紙葉束結束装置に関する。
【背景技術】
【０００２】
紙葉束結束装置は、有価証券などの紙葉類を１００枚ごとに紙帯等で結束した１００枚束をさらに５個または１０個集積して結束するものである。
【０００３】
従来、この種の結束装置は、紙葉類を正券、損券又は排除券に区分処理する紙葉類集積装置と一体となって、又は、紙葉類処理装置の後処理装置として使用される。
【０００４】
前者の場合、紙葉類処理装置で正券、損券に区分処理された紙葉類は、集積され、１００枚に達するごとに結束装置により紙帯で結束されて１００枚束が形成されて排出される。このようにして排出された１００枚束は、コンベアによって搬送されて５個または１０個積層して５００枚紙葉類または１０００枚紙葉類とした後、紙葉類結束装置によってさらに結束し、５００枚束または１０００枚束を形成している。
【０００５】
以下、１００枚束を５個積層して結束する場合に付いて説明する。従来、上記１００枚束を５個積層した５００枚紙葉類を結束するには以下の手順で結束している。以下図９〜図１１を参照して説明する。
【０００６】
（１）積層された５００枚紙葉類は、プッシャ１５０により押し出されて搬送路上を図示矢印Ａ方向に搬送される（図９、図１０）。
【０００７】
（２）５００枚紙葉類が所定の結束位置に達すると、プッシャによる押出を停止する（図１１）。
【０００８】
（３）紙葉束結束装置により、当該結束位置に結束帯Ｋ２で結束する。なお、この結束位置が搬送面と接触する部分には切り欠き部（帯排出溝）１４０が設けてあり、この帯排出溝１４０を通る結束帯Ｋ２により５００枚紙葉類が結束され５００枚束が形成される。
【０００９】
この際、５００枚紙葉類の最下端の紙葉類Ｐ１が帯排出溝１４０から垂れ下がり、５００枚紙葉類が押し出されるのに伴なって折り曲がり、めくれた状態になる場合がある（図１０）。
【００１０】
このめくれを防止するために、従来、最下端の紙葉類が帯排出溝に入り込まないように排出溝１４０の直近搬送方向上流に搬送方向下流に向って所定の角度を有して配置した弾性体で構成した板バネなどを配置し、当該５００枚紙葉類が搬送される際に、最下端の紙葉類が帯排出溝１４０に入り込まないように持上げ、当該５００枚紙葉類を所定の結束位置まで押し出した際に当該５００枚紙葉類の荷重によって当該１３０が搬送面まで押し下げられるように構成していた。なお、紙葉類の結束装置及び紙葉類の結束方法は、知られている（例えば、特許文献１参照。）。
【先行技術文献】
【特許文献】
【００１１】
【特許文献１】特開２００７−９１３０２号公報（第４−５頁、図１）
【発明の概要】
【発明が解決しようとする課題】
【００１２】
しかしながら、上述した板バネによるジャンプ台方式では、５００枚紙葉類が所定の結束位置に到達した時点で、板バネが最下面である搬送面まで押し下げられている必要がある。それは、この押し下げられた状態で５００枚紙葉類の外周に結束帯Ｋ２を回した後に帯締めをし、帯排出溝の搬送面上の位置で結束帯を結束帯の表裏から挟み込んで熱接着する必要性があるため、接着位置が常に一定の場所であることが好ましいことによる。なお、結束帯の熱接着を５００枚紙葉類の最上面側で行うことも可能であるが、５００枚紙葉類の正券と損券ではその厚さが最大２倍程度変動することから、熱接着位置が一定にならないため、上述した最下面で接着する場合に比べて複雑な処理が必要になる場合が多いことによる。
【００１３】
従って、上記板バネのバネ力が強く、所定の結束位置で５００枚紙葉類が持上げられた状態になると熱接着位置と５００枚紙葉類の最下面の紙葉類との間に隙間が形成され、帯のゆるい５００枚束が形成されることになる。また、板バネのバネ力が弱いと、５００枚紙葉類が所定の位置に到達する前に最下面の紙葉類が垂れ下がりした紙葉類がめくれた５００枚束が形成されるという課題があった。また、取り扱う紙葉類のサイズが券種によって異なるため、５００枚紙葉類が形成された状態では重量が異なってくる。これらの重量変動があった場合であっても上述した板バネを用いて均一に結束することが課題になっていた。
【００１４】
本発明は上述した課題を解決するためになされたもので、積層された５００枚紙葉類を所定の結束位置まで送り出して結束する紙葉束結束装置において、最下面の紙葉類のめくれ防止機構を備えた紙葉束結束装置を提供することを目的とする。
【課題を解決するための手段】
【００１５】
上記目的を達成するために、本発明の請求項１記載の紙葉束結束装置は、所定枚数の紙葉類を第１の結束帯で結束して形成した第１の紙葉束を所定個数積層して搬送し第２の結束帯でさらに結束して第２の紙葉束を形成する紙葉束結束装置であって、前記所定個数の第１の紙葉束を搬送するために搬送上流側及び下流側に分離して配置した２個の搬送ベースと、この２個の搬送ベースの間に設けた前記第２の結束帯を通すための帯排出溝と、前記搬送上流側搬送ベースに配置した所定の角度を有する弾性体と、前記帯排出溝を開閉する溝塞ぎ板と、この溝塞ぎ板を固定する支持材と、前記所定個数の第１の紙葉束を前記搬送上流側の搬送ベースから搬送下流側の搬送ベースに押し出すプッシャと、このプッシャによって押し出された前記所定個数の第１の紙葉束を停止するシャッタと、このシャッタで停止した前記所定個数の第１の紙葉束を前記第２の結束帯で結束する帯巻機と、前記所定個数の第１の紙葉束が前記シャッタによって停止される位置に到達したことを検知する検知手段と、この検知手段により前記所定個数の第１の紙葉束が検知されたとき前記帯巻機で当該所定個数の第１の紙葉束を結束する制御手段と、を備え、前記弾性体は、前記所定個数の第１の紙葉束が前記プッシャによって押し出される際、その先端を持上げ、当該複数個の第１の紙葉束の通過に伴いその荷重で押し下げられ、当該弾性体の先端が前記支持材の載置面と同一面を形成するように配置され、前記支持材は、前記シャッタに組み込まれ、前記プッシャによって押し出される前記所定個数の第１の紙葉束の先端側端面と当接する当接面を有し、前記シャッタに設けられたバネ材によって前記所定個数の第１の紙葉束の搬送方向と反対方向に突出するように付勢されて前記シャッタに設けられた開口部から突出した位置に設けられ、前記所定個数の第１の紙葉束が前記プッシャによって搬送方向に押し出されると、それに伴なって前記溝塞ぎ板と共に後退することにより、前記帯排出溝上の前記第１の紙葉束を前記搬送上流側の搬送ベースから搬送下流側の搬送ベースに搬送することを特徴とする。
【発明の効果】
【００１６】
５００枚紙葉類が押し出され、帯排出溝上を通過する際は、弾性体である板バネによって当該５００枚紙葉類を持上げ、かつ、当該帯排出溝を閉じることにより当該５００枚紙葉類の最下端の紙葉類が当該帯排出溝に入り込まないようにし、結束帯を通して結束する際には当該帯排出溝が開くようにすることにより紙葉類のめくれ防止を行うことができる。
【図面の簡単な説明】
【００１７】
【図１】本発明の実施例に係る紙葉束結束装置の構成を示す斜視図で、５００枚紙葉類が載置されている状態を示す図である。
【図２】本発明に係る紙葉束結束装置で紙葉束が結束されるまでの流れを説明する図
【図３】図１に示す５００枚紙葉類が結束位置まで押し出された状態の紙葉束結束装置の斜視図
【図４】図３に示す５００枚紙葉類が結束後シャッタが開き、さらに押し出された状態を示す紙葉束結束装置の斜視図
【図５】図４に示す５００枚束が次工程に送られ、初期状態に復帰した状態を示す紙葉束結束装置の斜視図
【図６】本発明の実施例に係る紙葉束結束装置の動作を説明する側面図で５００枚紙葉類の先端が帯排出溝の先端に到達し板バネにより持上げられた状態を示す図
【図７】図６に示す５００枚紙葉類がさらに押し出され溝塞ぎ板によって閉じられた帯排出溝を通過する状態を示す図
【図８】図７に示す５００枚紙葉類がさらに押し出され結束位置に到達し結束された状態を示す図
【図９】従来の紙葉束結束装置の動作を説明する側面図で５００枚紙葉類の先端が帯排出溝の先端に到達した状態を示す図
【図１０】図９に示す５００枚紙葉類がさらに押し出されて帯排出溝を通過する際最下面の紙葉類が垂れ下がった状態を示す図
【図１１】図１０に示す垂れ下がった紙葉類が折れ曲がった状態で結束されて５００枚束が形成された状態を示す図
【発明を実施するための形態】
【００１８】
本発明の紙葉束結束装置は、紙葉類処理装置に組み込んで一体となって用いられる。または紙葉類処理装置の後処理装置として、紙葉類処理装置から排出された１００枚束をコンベア等により搬送して５個または１０個積層したものを当該紙葉束結束装置の結束位置に搬送または送り出し、当該紙葉束結束位置で結束する。以下、図面を参照して本発明の実施例を説明する。
【実施例】
【００１９】
図１は、本発明の実施例に係る紙葉束結束装置１の構成を示す斜視図で、５００枚紙葉類が載置されている状態を示す図である。
【００２０】
紙葉束結束装置１は、所定枚数（例えば、１００枚）の紙葉類を紙帯（第１の結束帯）で結束して形成した１００枚束（第１の紙葉束）が５個積層された５００枚紙葉類を搬送する分離して配置された２個の搬送ベース２０ａ、２０ｂ、板バネ（弾性体）３０、溝塞ぎ板１０、シャッタ１２、センサ（検知手段）１３、帯巻機６及びプッシャを有して構成される。
【００２１】
搬送上流側に配置された搬送ベース２０ａ及び搬送下流側に配置された搬送ベース２０ｂは、その間に本実施例に係る結束帯（第２の結束帯）を巻き回することの可能な空間である帯排出溝４０を設けて配置される。
【００２２】
帯排出溝４０の直近上流である搬送上流側搬送ベース２０ａの終端には逆「へ」文字状の板バネ３０が配置される。この板バネ３０は、弾力材（例えば、ＳＵＳ３０４ＣＰＳ−Ｈ）で構成し、かつ、搬送ベース２０ａの終端に向って１５度の角度を有して配置される。
【００２３】
溝塞ぎ板１０は、Ｌ文字状支持材１１に固定され、シャッタ１２に組み込まれている。
【００２４】
支持材１１は、シャッタ１２に組み込まれ、後述するプッシャによって押し出される５００枚紙葉類の先端側端面と当接する当接面を有し、シャッタ１２に設けられたバネ材によって５００枚紙葉類の搬送方向と反対の方向に突出するように付勢されており、シャッタ１２に設けられた開口部から突出した位置にある。しかしながら、５００枚紙葉類がプッシャによって押し出され、当該５００枚紙葉類の先端側端面が上記支持材１１の当接面を搬送方向に押し出すと、当該支持材１１は搬送方向に押し出されて後退する。
【００２５】
シャッタ１２は、搬送方向と直交する方向に進退移動可能に構成されており、進出（シャッタ閉）時、搬送ベース２０ｂ上の５００枚紙葉類の搬送を停止して結束処理を行うことができ、退出（シャッタ開）時、結束された５００枚束Ｓを搬送方向にさらに搬送することができる。
【００２６】
また、このシャッタ１２には上述した支持材１１が組み込まれているため、当該シャッタの進退移動に伴なって支持材及びこの支持材に固定された溝塞ぎ板１０もシャッタ１２の進退移動方向に移動する。
【００２７】
図２は、本発明に係る紙葉束結束装置１で紙葉束Ｓが結束されるまでの流れを説明する図である。以下これらの図を参照して説明する。
【００２８】
紙葉類処理装置（図示しない）で形成された１００枚束Ｈはベルトコンベア２によって図示矢印Ｂ１方向に搬送される。搬送された１００枚束Ｈはベルトコンベア２の終端から放出され、図示矢印Ｂ２方向に搬送されてリフタ３上に積載される（図２（１））。
【００２９】
このようにしてリフタ３に積載された１００枚束Ｈが５個に達し５００枚紙葉類になると、図示矢印Ｂ３方向にリフタが下降し所定の位置に到達する（図２（３））。
【００３０】
所定の位置に到達した５００枚紙葉類はリフタ３からキャリア４に受け渡される。リフタ３は、次の１００枚束を受取るために上昇して復帰する。
【００３１】
キャリア４に載置された５００枚紙葉類は、プッシャ５０によって図示矢印Ｂ４方向に押し出され（図２（４））、紙葉束結束装置１に供給される（図２（５））。
【００３２】
紙葉束結束装置１に供給された５００枚紙葉類は上記プッシャ５０によってさらに押込まれて所定の位置に達するとセンサ（検知手段）１３によって所定の位置に到達したことが検知され、５００枚紙葉類は結束帯Ｋ２によって結束されて５００枚束Ｓになる。
【００３３】
このようにして形成された５００枚束Ｓは、プッシャ５によって紙葉束結束装置１から放出される（図２（５））。
【００３４】
図３は、図１に示す５００枚紙葉類が結束位置まで押し出された状態の紙葉束結束装置１の斜視図である。５００枚紙葉類が搬送方向後端からプッシャによって前方に押し出されると、当該５００枚紙葉類の先端が溝塞ぎ板１０の突出部を押込みながらシャッタ１２によって遮られて停止する。５００枚紙葉類が所定の結束位置に到達した状態である。
【００３５】
図４は、図３に示す５００枚紙葉類が結束後シャッタ１２が開き、さらに押し出された状態を示す紙葉束結束装置１の斜視図である。５００枚紙葉類の先端がシャッタ１２に接する所定の結束位置に到達すると、それに基づいて溝塞ぎ板１０が押し出されて帯排出溝４０が開けられた状態になる。５００枚紙葉類がシャッタ１２の位置まで押し出されたのがセンサ１３によって検知されると、結束帯Ｋ２が放出されて５００枚紙葉類の周囲に巻き回され、帯締め後熱接着されて５００枚束Ｓが形成される。
【００３６】
その後、シャッタ１２が開いて５００枚束Ｓの進行方向が開放され、搬送ベース２０上をさらに押し出されて紙葉束結束装置１から放出される。
【００３７】
図５は、図４に示す５００枚束Ｓが次工程に送られ、初期状態に復帰した状態を示す紙葉束結束装置１の斜視図である。
【００３８】
この状態では、開いたシャッタ１２が閉じる。また、このシャッタ１２に組み込まれている溝塞ぎ板１０がシャッタ１２の背面に取り付けられたバネのバネ力にシャッタ１２の前面から突出して復帰する。図はこの復帰した状態を示す。
【００３９】
図６は、本発明の実施例に係る紙葉束結束装置の動作を説明する側面図で５００枚紙葉束の先端が帯排出溝４０の先端に到達し、板バネ３０により持上げられた状態を示す図である。５００枚紙葉類はプッシャ５０により図示矢印Ｂ４方向に押込まれる。
【００４０】
プッシャ５０は、５００枚紙葉類の後端側端面と当接して押圧する押圧部と、５００枚紙葉類の底面と当接する底部を備えたＬ文字状の板状体で構成される。５００枚紙葉類は、このように構成された底部に５００枚紙葉類の後端部を載置した状態でプッシャ５０に押し出されて図示Ｂ４方向に搬送される。
【００４１】
このような構成により、プッシャ５０の底部がＬ文字状に構成されていない場合には、最下面の紙葉類が搬送ベース２０ａとの摩擦により、搬送ベース２０ａに取り残される場合があるのを防止している。
【００４２】
以上のように構成された搬送ベース２０ａ上を５００枚紙葉類が図示矢印方向に搬送されると、５００枚紙葉類の先端が板バネ３０によって持上げられ、底部にある紙葉類が垂れ下がり帯排出板１０に入り込むのを防止する。さらに、支持材１１もシャッタ１２から搬送方向と反対の方向に突出し、その先端に固定された溝塞ぎ板１０によって帯排出溝４０の搬送ベース２０（搬送ベース２０ａ、２０ｂの総称）の上面が閉じられる。
【００４３】
この結果、５００枚紙葉類の最下端の紙葉類の垂れ下がりが帯排出溝４０にはいりこむのが防止される。
【００４４】
図７は、図６に示す５００枚紙葉類がさらに押し出されて溝塞ぎ板１０によって閉じられた帯排出溝４０を通過する状態を示す図である。
【００４５】
プッシャ５０によって押し出された５００枚紙葉類は図示矢印Ｂ４方向に押し出されて溝塞ぎ板１０の上に移動しながら載置され、その先端は支持材１１に達する。図はまさにこの支持材１１に達した状態を示す。この状態では、板バネ３０は５００枚紙葉類の荷重によって押し下げられ、その先端が支持材１１の載置面と同一面を形成する状態が好ましい。板バネ３０のバネ力が強すぎると５００枚紙葉類の先端が上がりすぎ、上述したように結束する場合に良好な結束の障害になる。一方、バネ力が弱すぎると５００枚紙葉類の先端を持上げることができず、板バネ３０の効果が少なくなるからである。
【００４６】
図８は、図７に示す５００枚紙葉類がさらに押し出され結束位置に到達し結束された状態を示す図である。図７において、溝塞ぎ板１０に載置された５００枚紙葉類は、プッシャ５０によってさらに搬送方向に押し込まれ、バネ材によって付勢されている支持材１１とプッシャ５０に挟持された状態でシャッタ１２に当接するまで移動する。従って、支持材１１は、５００枚紙葉類の搬送方向に沿って押し出されて後退した状態になる。
【００４７】
センサ（検知手段）１３は、上記５００枚紙葉類の先端側端部がシャッタ１２の位置に到達したことを検知する。
【００４８】
制御部（制御手段）６ａは、紙葉束結束装置１を制御するＣＰＵによって制御され、上記検知手段によって支持材１１が所定の位置にあることが検知されると、そのときの５００枚紙葉類の搬送位置が帯巻機６による帯巻き位置にあるため、帯巻機６を駆動する。
【００４９】
帯巻機６は、制御手段６からの指示に基づいて帯排出溝４０から結束帯（第２の結束帯）Ｋ２を繰出して当該５００枚紙葉類を結束して５００枚束Ｓを形成する。
【００５０】
上記支持材１１の移動に伴なって溝塞ぎ板１０も移動し、帯排出溝４０が開いた状態になる。この状態で帯巻機６は、結束帯Ｋ２を５００枚紙葉類の外周に巻き回して５００枚紙葉類を結束して５００枚束Ｓを形成する。図はまさにこの状態である。
【００５１】
以上説明したように本発明の紙葉類結束装置によれば、帯排出溝４０に５００枚紙葉類の最下端の紙葉類が入り込むことがなく紙葉類のめくれ防止が可能である。
【００５２】
なお、上述した板バネ３０は、本実施例に係る紙葉類を処理する際に用いられた一例であり、これに限るものではないが、板バネ３０及び溝塞ぎ板１１による本実施例に係る構成を用いることにより、紙葉類の券種またはサイズが変更になった場合でも紙葉束の最下端の紙葉類がめくれた状態で搬送されさらに結束されることを防止することができる。
【符号の説明】
【００５３】
Ｈ  １００枚束
Ｓ  ５００枚束
１０  溝塞ぎ板
１１  支持材
１２  シャッタ
２０ａ、２０ｂ搬送ベース
３０  板バネ
４０  帯排出溝
５０  プッシャ
【図１】
2011173635.tif 000003
【図２】
2011173635.tif 000004
【図３】
2011173635.tif 000005
【図４】
2011173635.tif 000006
【図５】
2011173635.tif 000007
【図６】
2011173635.tif 000008
【図７】
2011173635.tif 000009
【図８】
2011173635.tif 000010
【図９】
2011173635.tif 000011
【図１０】
2011173635.tif 000012
【図１１】
2011173635.tif 000013